【手続補正書】
【提出日】平成22年8月2日(2010.8.2)
【手続補正１】
【補正対象書類名】特許請求の範囲
【補正対象項目名】全文
【補正方法】変更
【補正の内容】
【特許請求の範囲】
【請求項１】
コンピュータ実行可能命令が記憶された１つ又は複数のコンピュータ記憶媒体上で実施化されるグラフィカルユーザインターフェースであって、該グラフィカルユーザインターフェースは、
対話型地図上のターゲットロケーションを示すように構成されている第１の表示エリアと、
前記対話型地図上に、前記ターゲットロケーションの近傍の第１の画像を表示するように構成されている第２の表示エリアであって、前記第１の画像は、前記対話型地図上において、該第１の画像がキャプチャされた、前記ターゲットロケーションからの方向に置かれるように位置決めされ、前記第１の画像は、該第１の画像がキャプチャされた方向を示すメタデータでタグ付けされている、第２の表示エリアと、
を備える、グラフィカルユーザインターフェース。
【請求項２】
請求項１に記載のグラフィカルユーザインターフェースであって、前記ターゲットロケーションの周囲の第２の画像を表示するように構成されている第３の表示エリアをさらに備え、該第３の表示エリアは、前記第２の画像が、前記対話型地図上において、該第２の画像がキャプチャされた、前記ターゲットロケーションからの方向に置かれるように位置決めされる、グラフィカルユーザインターフェース。
【請求項３】
請求項１に記載のグラフィカルユーザインターフェースであって、前記第１の画像の拡大バージョンを表示するように構成されている第４の表示エリアをさらに備える、グラフィカルユーザインターフェース。
【請求項４】
請求項１に記載のグラフィカルユーザインターフェースにおいて、前記第１の画像は写真画像である、グラフィカルユーザインターフェース。
【請求項５】
請求項４に記載のグラフィカルユーザインターフェースであって、
前記ターゲットロケーションでキャプチャされるパノラマイメージを選択し、
前記地理的地図上において前記ターゲットロケーションの周囲に前記パノラマ画像を表示する、
グラフィカルユーザインターフェース。
【請求項６】
１つ又は複数のメディアオブジェクトを地理的地図上に表示するためのステップを遂行するためのコンピュータ実行可能命令を実装するコンピュータ記憶媒体であって、前記１つ又は複数のメディアオブジェクトは、ターゲットロケーション及びユーザによって特定された観察方向に関連付けられ、該ステップは、
前記地理的地図上で、前記ターゲットロケーションからの観察方向を特定する、ユーザからの指示を受け取るステップ、
前記ターゲットロケーションからの前記ユーザによって特定された方向においてキャプチャされた１つ又は複数のメディアオブジェクトを得るために、データベースにアクセスするステップ、
前記地理的地図上に、前記１つ又は複数のメディアオブジェクトの１つ又は複数のサムネイルバージョンを表示するステップであって、前記１つ又は複数のサムネイルバージョンの各々は、前記地理的地図上において前記ターゲットロケーションからの前記観察方向に方向付けられている、ステップ、
前記１つ又は複数のメディアオブジェクトの中から、前記ターゲットロケーションからの前記観察方向のメディアオブジェクトをターゲットオブジェクトとして選択するステップ、および
前記選択されたメディアオブジェクトの拡大バージョンを前記地理的地図上に表示するステップ、
を含む、
コンピュータ記憶媒体。
【請求項７】
請求項６に記載のコンピュータ記憶媒体において、前記ターゲットロケーションは、前記ユーザからの指示又はアドミニストレータからの指示のうちのいずれか一方によって特定される、コンピュータ記憶媒体。
【請求項８】
請求項６に記載のコンピュータ記憶媒体において、前記ターゲットロケーションからの前記地理的地図上の前記観察方向を特定する、前記ユーザからの前記指示を受け取るステップは、前記ユーザが前記地理的地図上の一方向にマウスポインタをドラッグするステップをさらに含む、コンピュータ記憶媒体。
【請求項９】
請求項６に記載のコンピュータ記憶媒体であって、前記ターゲットロケーションの周囲でキャプチャされた少なくとも１つのメディアオブジェクトを得るために、前記データベースにアクセスするステップ、及び
前記地理的地図上の前記ターゲットロケーションの周囲に前記少なくとも１つのメディアオブジェクトを提示するステップ、
をさらに含み、前記少なくとも１つのメディアオブジェクトは、該メディアオブジェクトがキャプチャされたロケーションに従って前記地理的地図上に配置される、
コンピュータ記憶媒体。
【請求項１０】
請求項６に記載のコンピュータ記憶媒体であって、
１つ又は複数のパラメータの指示を受け取るステップ、
前記１つ又は複数のパラメータを含む前記１つ又は複数のメディアオブジェクトのうちの少なくとも１つを検索するステップ、及び
前記１つ又は複数のパラメータを含む前記１つ又は複数のメディアオブジェクトのうちの前記少なくとも１つを提示するステップ、
をさらに含む、コンピュータ記憶媒体。
【請求項１１】
請求項６に記載のコンピュータ記憶媒体において、前記１つ又は複数のメディアオブジェクトを得るために、前記データベースにアクセスするステップは、前記ターゲットロケーションの近傍のジオコードを割り当てられているメディアオブジェクトを得るために、前記データベースを検索するステップをさらに含む、コンピュータ記憶媒体。
【請求項１２】
請求項６に記載のコンピュータ記憶媒体であって、
前記ターゲットロケーションの周囲のパノラマ画像の指示を受け取るステップ、
前記ターゲットロケーションの周囲の前記パノラマ画像を突き止めるステップ、及び
前記地理的地図上において前記ターゲットロケーションの周囲に前記パノラマ画像を表示するステップ、
をさらに含む、コンピュータ記憶媒体。
【請求項１３】
ディスプレイ及びユーザインターフェース選択デバイスを含むグラフィカルユーザインターフェースを有するコンピュータシステムにおいて、前記ディスプレイ上に地理的地図を表示して、ターゲットロケーション及びユーザによって選択された観察方向に関連付けられている１つ又は複数のメディアオブジェクトを前記地理的地図上に提示する方法であって、該方法は、
前記地理的地図上で、前記ターゲットロケーションを特定する、ユーザからの指示を受け取るステップ、
前記地理的地図上のターゲットロケーションの周囲に１つ又は複数のメディアオブジェクトを表示するステップであって、該１つ又は複数のメディアオブジェクトのそれぞれがキャプチャされた前記ターゲットロケーションからの方向に、該１つ又は複数のメディアオブジェクトのそれぞれが方向付けられるようにする、ステップ、
前記地理的地図上の前記ターゲットロケーションからの方向を特定する、前記ユーザからの指示を受け取るステップ、
前記観察方向を用いて、前記ターゲットロケーションで前記観察方向にキャプチャされると判定される少なくとも１つのメディアオブジェクトを選択するステップ、および
前記少なくとも１つのメディアオブジェクトの拡大バージョンを前記地理的地図上に表示するステップ、
を含む、方法。
【請求項１４】
請求項１３に記載の方法であって、
１つ又は複数のパラメータの指示を受け取るステップ、
前記１つ又は複数のパラメータを含む前記１つ又は複数のメディアオブジェクトのうちの少なくとも１つを検索するステップ、及び
前記１つ又は複数のパラメータを含む前記１つ又は複数のメディアオブジェクトのうちの前記少なくとも１つを提示するステップ、
をさらに含む、方法。
【請求項１５】
請求項１３に記載の方法であって、前記ターゲットロケーションの近傍のジオコードを割り当てられているメディアオブジェクトを得るために、前記データベースにアクセスするステップをさらに含む、方法。
【請求項１６】
請求項１３に記載の方法において、前記ターゲットロケーションからの前記地理的地図上の前記観察方向を特定する、前記ユーザからの前記指示を受け取るステップは、前記ユーザが前記地理的地図上の一方向にマウスポインタをドラッグするステップをさらに含む、方法。
【請求項１７】
請求項１３に記載の方法において、前記ターゲットロケーションからの前記地理的地図上の前記観察方向を特定する、前記ユーザからの前記指示を受け取るステップは、前記ユーザが所在地住所をテキスト欄に入力するステップをさらに含む、方法。
【請求項１８】
請求項１３に記載の方法において、前記ターゲットロケーションは、前記ユーザからの指示又はアドミニストレータからの指示のうちのいずれか一方によって特定される、方法。
【請求項１９】
請求項１３に記載の方法において、
前記ターゲットロケーションでキャプチャされるパノラマイメージを選択するステップ、および、  
前記地理的地図上において前記ターゲットロケーションの周囲に前記パノラマ画像を表示するステップ、
をさらに含む、方法。
【請求項２０】
請求項１３に記載の方法であって、
１つ又は複数のパラメータの指示を受け取るステップ、
前記１つ又は複数のパラメータを含む前記パノラマ画像の一部を検索するステップ、及び
前記１つ又は複数のパラメータを含む前記パノラマ画像の前記一部を提示するステップ、
をさらに含む、方法。